(57)【要約】【課題】定型用紙に印刷されているドキュメントなどの画像を従来よりも綺麗に別の定型用紙にコピーする。【解決手段】画像形成装置１に、定型の画像のフォーム画像データ６０を記憶するフォーム画像データ記憶部１０３と、定型用紙から原稿の画像を読み取るスキャナ１０ｇと、読み取られた原稿の画像の中から定型の画像を除去してフォーム除去画像を生成する画像調整処理部１０４と、フォーム除去画像を別の定型用紙に印刷する印刷装置１０ｈと、を設ける。【選択図】図４
2009273060.tif 000002
【特許請求の範囲】
【請求項１】
定型の画像が記されている用紙である定型用紙に、ユーザが指定した画像である指定画像を印刷する、画像形成装置であって、
前記定型の画像を記憶する定型画像記憶手段と、
前記指定画像を取得する指定画像取得手段と、
前記指定画像取得手段によって取得された前記指定画像の中から、前記定型画像記憶手段に記憶されている前記定型の画像を除去する、定型画像除去手段と、
前記定型画像除去手段によって前記定型の画像が除去された前記指定画像を前記定型用紙に印刷する印刷手段と、
を有することを特徴とする画像形成装置。
【請求項２】
前記指定画像取得手段は、前記指定画像を、当該指定画像が前記定型の画像とともに記されている第二の定型用紙の原稿面をスキャンすることによって取得する、
請求項１記載の画像形成装置。
【請求項３】
前記定型用紙および前記第二の定型用紙のサイズは同じであり、
前記定型用紙および前記第二の定型用紙の同じ位置に前記定型の画像が記されており、
前記定型画像記憶手段は、前記定型の画像として、前記定型用紙の原稿面をスキャンすることによって得られた画像である定型用紙全体画像を記憶し、
前記定型画像除去手段は、同じ座標にある前記指定画像の第一の画素および前記定型用紙全体画像の第二の画素同士を比較し、当該第一の画素の値と当該第二の値とが同じである場合に当該画素を透明にすることによって、前記定型の画像を除去する、
請求項１または請求項２記載の画像形成装置。
【請求項４】
ユーザが指定した画像である指定画像を定型の画像とともに印刷する、画像形成装置であって、
前記定型の画像を記憶する定型画像記憶手段と、
前記指定画像を取得する指定画像取得手段と、
前記指定画像取得手段によって取得された前記指定画像と前記定型画像記憶手段に記憶されている前記定型の画像とを重ね合せた重畳画像を生成する重畳画像生成手段と、
前記重畳画像生成手段によって生成された前記重畳画像を用紙に印刷する印刷手段と、
を有することを特徴とする画像形成装置。
【請求項５】
前記重畳画像生成手段は、前記指定画像の中の所定の一部分と前記定型の画像とを重ね合わせ、かつ、当該所定の一部分に示されるオブジェクトが当該定型の画像の中に白抜きの状態で表れるように、前記重畳画像を生成する、
請求項４記載の画像形成装置。
【請求項６】
ユーザが指定した画像である指定画像を取得する指定画像取得手段と、
前記指定画像取得手段によって取得された前記指定画像の中から、ユーザが指定した領域である指定領域の画像を除去する、指定領域画像除去手段と、
前記指定領域画像除去手段によって前記指定領域の画像が除去された前記指定画像を用紙に印刷する印刷手段と、
を有することを特徴とする画像形成装置。
【請求項７】
定型の画像が記されている用紙である定型用紙に、ユーザが指定した画像である指定画像を印刷する印刷方法であって、
定型画像記憶手段に前記定型の画像を記憶させておき、
画像処理手段に前記指定画像を入力し、
前記画像処理手段に、入力した前記指定画像の中から、前記定型画像記憶手段に記憶されている前記定型の画像を除去する処理を実行させ、
印刷手段に、前記画像処理手段によって前記定型の画像が除去された前記指定画像を前記定型用紙に印刷させる、
ことを特徴とする印刷方法。
【請求項８】
ユーザが指定した画像である指定画像を定型の画像とともに印刷する印刷方法であって、
定型画像記憶手段に前記定型の画像を記憶させておき、
画像処理手段に前記指定画像を入力し、
前記画像処理手段に、入力した前記指定画像と前記定型画像記憶手段に記憶されている前記定型の画像とを重ね合せた重畳画像を生成する処理を実行させ、
印刷手段に、前記画像処理手段によって生成された前記重畳画像を用紙に印刷させる、
ことを特徴とする印刷方法。
【請求項９】
画像処理手段に、ユーザが指定した画像である指定画像を入力し、
前記画像処理手段に、入力した前記指定画像の中から、ユーザが指定した領域である指定領域の画像を除去する処理を実行させ、
印刷手段に、前記画像処理手段によって前記指定領域の画像が除去された前記指定画像を用紙に印刷させる、
ことを特徴とする印刷方法。
【請求項１０】
画像読取手段、定型の画像が記されている用紙である定型用紙への印刷を行う前記印刷手段、前記定型の画像を記憶する定型画像記憶手段、および画像処理手段を有する画像形成装置のために用いられるコンピュータプログラムであって、
前記画像読取手段に、原稿の用紙に記されている画像である原稿画像を読み取らせる処理を実行させ、
前記画像処理手段に、前記画像読取手段によって読み取られた前記原稿画像の中から、前記定型画像記憶手段に記憶されている前記定型の画像を除去する処理を実行させ、
前記印刷手段に、前記画像処理手段によって前記定型の画像が除去された前記原稿画像を前記定型用紙に印刷する処理を実行させる、
ことを特徴とするコンピュータプログラム。
【発明の詳細な説明】
【技術分野】
【０００１】
本発明は、スキャナなどによって得られた画像を用紙に印刷する装置および方法などに関する。
【背景技術】
【０００２】
従来より、画像形成を行う画像形成装置、例えば、複写機、プリンタ、ファクシミリが会社などのオフィス内で使用されている。近年は、複合機またはＭＦＰ（Multi Function Peripherals）と呼称される多機能機が普及している。
【０００３】
また、近年、画像形成装置にフォームオーバーレイ機能が備えられるようになった。非特許文献１に記載されるように、この機能によると、印刷またはコピーの対象であるドキュメントなどの画像を、会社のロゴのような定型の画像とともに用紙にすることができる。
【０００４】
特許文献１、２には、フォームオーバーレイ機能の応用の方法が開示されている。特許文献１には、ドキュメントの画像および定型の画像を合成する処理を画像形成装置の代わりにホストコンピュータによって行う方法が、開示されている。
【０００５】
特許文献２には、ドキュメントの画像の中の定型の画像と重複する部分の記録（印刷）の処理の方法について、次のように記載されている。一連の画像データを記録するに先立ち、フォームデータを受信しページメモリに格納し、その後、プリンタの操作パネルもしくはホストコンピュータから、フォームデータの色指定指示を受けた場合は、指示の内容に従ってページメモリ上のフォームデータの色情報を変更する。フォームオーバーレイ印刷が指示されれば、その指示内容をフラグに記憶し、フォームオーバーレイ印刷においては、色情報を変更されたフォームデータを１ページづつ受信した画像データと重ね合せて記録出力する。
【非特許文献１】コニカミノルタ社製”ｂｉｚｈｕｂ  ２５０”カタログ第６頁、ＵＲＬ：http://konicaminolta.jp/business/products/copiers/bw/bizhub＿250/pdf/bizhub＿250.pdf
【特許文献１】特開２０００−８９９２５号公報
【特許文献２】特開平８−２７４９６９号公報
【発明の開示】
【発明が解決しようとする課題】
【０００６】
ところで、ドキュメントも会社のロゴも、高画質で印刷されることが望ましい。文字または表のような単純なオブジェクトによって構成されるドキュメントであれば、廉価な画像形成装置であっても、ユーザが満足する画質で印刷することができる。しかし、会社のロゴは、複雑な図形や微小な文字が含まれていたりすることがある。このようなロゴは、廉価な画像形成装置で印刷すると、複雑な図形や微小な文字が滲んだり潰れたりして、ユーザが所望する画質が得られないおそれがある。
【０００７】
会社の画像形成装置をすべて高性能なものに置き換えることが考えられるが、そうすると、コストが嵩んでしまう。
【０００８】
また、印刷するドキュメントがモノクロであるにも関わらず会社のロゴがカラーである場合は、わざわざカラーモードで印刷しなければならない。よって、このような場合には、コストが嵩んでしまう。
【０００９】
そこで、会社のロゴが予め印刷された用紙（以下、「定型用紙」と記載する。）を印刷業者から調達し、この用紙にドキュメントを印刷する、という方法を採用する会社も多い。この方法によると、廉価な画像形成装置で印刷しても、ユーザは、満足できる画質の印刷物を得ることができる。
【００１０】
しかし、この方法では、定型用紙に印刷されているドキュメントをコピーする場合に、かつ高画質の印刷物を低コストで得ることができない。なぜなら、このドキュメントを普通の用紙（ロゴが印刷されていない白紙）に廉価な画像形成装置でコピーすると、ロゴの画質が満足のできるレベルに届かないことがある。また、このドキュメントを別の定型用紙に印刷すると、このドキュメントとともに読み取られたロゴが当該別の定型用紙に予め印刷されているロゴと重なり、色合いなどがおかしくなってしまうおそれがある。
【００１１】
本発明は、このような問題点に鑑み、定型用紙に印刷されているドキュメントなどの画像を従来よりも綺麗に別の定型用紙にコピーできるようにすることを、目的とする。
【課題を解決するための手段】
【００１２】
本発明の一形態に係る画像形成装置は、定型の画像が記されている用紙である定型用紙に、ユーザが指定した画像である指定画像を印刷する、画像形成装置であって、前記定型の画像を記憶する定型画像記憶手段と、前記指定画像を取得する指定画像取得手段と、前記指定画像取得手段によって取得された前記指定画像の中から、前記定型画像記憶手段に記憶されている前記定型の画像を除去する、定型画像除去手段と、前記定型画像除去手段によって前記定型の画像が除去された前記指定画像を前記定型用紙に印刷する印刷手段と、を有する。
【００１３】
好ましくは、前記指定画像取得手段は、前記指定画像を、当該指定画像が前記定型の画像とともに記されている第二の定型用紙の原稿面をスキャンすることによって取得する。
【００１４】
または、前記定型用紙および前記第二の定型用紙のサイズは同じであり、前記定型用紙および前記第二の定型用紙の同じ位置に前記定型の画像が記されており、前記定型画像記憶手段は、前記定型の画像として、前記定型用紙の原稿面をスキャンすることによって得られた画像である定型用紙全体画像を記憶し、前記定型画像除去手段は、同じ座標にある前記指定画像の第一の画素および前記定型用紙全体画像の第二の画素同士を比較し、当該第一の画素の値と当該第二の値とが同じである場合に当該画素を透明にすることによって、前記定型の画像を除去する。
【００１５】
本発明の他の一形態に係る画像形成装置は、ユーザが指定した画像である指定画像を定型の画像とともに印刷する、画像形成装置であって、前記定型の画像を記憶する定型画像記憶手段と、前記指定画像を取得する指定画像取得手段と、前記指定画像取得手段によって取得された前記指定画像と前記定型画像記憶手段に記憶されている前記定型の画像とを重ね合せた重畳画像を生成する重畳画像生成手段と、前記重畳画像生成手段によって生成された前記重畳画像を用紙に印刷する印刷手段と、を有する。
【００１６】
好ましくは、前記重畳画像生成手段は、前記指定画像の中の所定の一部分と前記定型の画像とを重ね合わせ、かつ、当該所定の一部分に示されるオブジェクトが当該定型の画像の中に白抜きの状態で表れるように、前記重畳画像を生成する。
【００１７】
本発明の他の一形態に係る画像形成装置は、ユーザが指定した画像である指定画像を取得する指定画像取得手段と、前記指定画像取得手段によって取得された前記指定画像の中から、ユーザが指定した領域である指定領域の画像を除去する、指定領域画像除去手段と、前記指定領域画像除去手段によって前記指定領域の画像が除去された前記指定画像を用紙に印刷する印刷手段と、を有する。
【発明を実施するための最良の形態】
【００１８】
図１は画像処理システム３の全体的な構成の例を示す図、図２は画像形成装置１のハードウェア構成の例を示す図、図３は定型用紙の例を示す図、図４は画像形成装置１の機能的構成の例を示す図である。
【００１９】
画像処理システム３は、図１に示すように、画像形成装置１、１台または複数台の端末装置２、および通信回線ＴＣなどによって構成される。画像形成装置１と端末装置２とは、通信回線ＴＣを介して互いに接続可能である。通信回線ＴＣとして、ＬＡＮ、インターネット、公衆回線、または専用線などが用いられる。
【００２０】
画像形成装置１は、コピー、スキャナ、ファックス、ネットワークプリンティング、およびドキュメントサーバなどの様々な機能を集約した処理装置である。複合機またはＭＦＰ（Multi Function Peripherals）などと呼ばれることもある。
【００２１】
端末装置２として、パーソナルコンピュータまたはワークステーションなどが用いられる。また、端末装置２には、画像形成装置１に対応したアプリケーションプログラムおよびドライバがインストールされている。
【００２２】
画像形成装置１は、役所または企業などのオフィス、学校または図書館などの公共施設、その他種々の場所に設置され、複数のユーザによって共用することができる。
【００２３】
画像形成装置１は、図２に示すように、ＣＰＵ１０ａ、ＲＡＭ１０ｂ、ＲＯＭ１０ｃ、ハードディスク１０ｄ、制御用回路１０ｅ、操作パネル１０ｆ、スキャナ１０ｇ、印刷装置１０ｈ、ＬＡＮインタフェース１０ｊ、およびＦＡＸモデム１０ｋなどによって構成される。
【００２４】
制御用回路１０ｅは、ハードディスク１０ｄ、操作パネル１０ｆ、スキャナ１０ｇ、印刷装置１０ｈ、ＬＡＮインタフェース１０ｊ、およびＦＡＸモデム１０ｋなどを制御するための回路である。
【００２５】
スキャナ１０ｇは、原稿に描かれている文章、数式、記号、写真、図表、またはイラストなどの書類の画像を光学的に読み取って画像データを生成する。
【００２６】
印刷装置１０ｈは、スキャナ１０ｇによって得られた画像データまたは端末装置２などから送信されてきた画像データに基づいて画像を用紙に印刷する。以下、説明の簡単のため、画像形成装置１で取り扱う用紙のサイズはすべて同一であるものとする。
【００２７】
印刷装置１０ｈには、複数の給紙トレイが設けられている。これらの給紙トレイのうちの１つには、図３に示すような、会社のロゴのような特定の画像が予め印刷されている用紙がセットされている。以下、このような特定の画像を「定型画像ＦＧ」と記載する。また、定型画像ＦＧが予め印刷されている用紙および印刷されていない用紙を、それぞれ、「定型用紙」および「一般用紙」と区別して記載することがある。画像形成装置１によると、定型用紙に記されているドキュメントなどの画像を別の定型用紙に好適にコピーするなど、様々な応用的なコピーを行うことができる。この仕組みについては、後に詳細に説明する。
【００２８】
ＬＡＮインタフェース１０ｊは、端末装置２などとＴＣＰ／ＩＰによって通信を行うためのＮＩＣ（Network Interface Card）である。
【００２９】
ＦＡＸモデム１０ｋは、ＦＡＸ端末とファックスプロトコルによって通信を行うための装置である。
【００３０】
操作パネル１０ｆは、タッチパネル式の液晶ディスプレイおよびテンキーなどによって構成される。液晶ディスプレイには、ユーザに対してメッセージまたは指示を与えるための画面、ユーザが所望する処理の種類および処理条件を入力するための画面、およびＣＰＵ１０ａなどで実行された処理の結果を示す画面などが表示される。
【００３１】
ユーザは、上記の画面を見ながら液晶ディスプレイまたはテンキーを操作することによって、画像形成装置１に対して、処理の実行開始または中断などの指令を与え、処理条件を指定し、その他種々の事項を指定することができる。
【００３２】
ＲＯＭ１０ｃまたはハードディスク１０ｄには、図４に示すスキャン制御部１０１、原稿画像データ記憶部１０２、フォーム画像データ記憶部１０３、画像調整処理部１０４、コピー指令画面表示部１０５、および印刷制御部１０６などによって構成される。
【００３３】
これらのプログラムおよびデータは必要に応じてＲＡＭ１０ｂに読み出され、ＣＰＵ１０ａによってプログラムが実行される。図４に示す一部または全部がマイクロコンピュータまたはＡＳＩＣ（Application Specific Integrated Circuit）としてＬＳＩ化されて用いられることがある。
【００３４】
図５は幅領域除去画像ＰＸａの生成の処理の例を説明するための図、図６はフォーム除去画像ＰＸｂの生成の処理の例を説明するための図、図７は矩形領域除去画像ＰＸｃの生成の処理の例を説明するための図、図８は重畳画像ＰＸｄの生成の処理の例を説明するための図、図９はコピー指令画面ＨＧ１の例を示す図である。次に、図４に示す画像形成装置１の各部の処理内容などについて詳細に説明する。
【００３５】
スキャン制御部１０１は、原稿台にセットされている用紙に記されている画像を光学的に読み取って画像データを生成するようにスキャナ１０ｇを制御する。
【００３６】
幅領域除去モード、マッチング除去モード、矩形除去モード、およびかぶり可視化モードのうちのいずれかのモードが選択されている場合は、スキャン制御部１０１は、原稿の用紙全体の画像（以下、「原稿全体画像ＰＸ」と記載する。）をスキャナ１０ｇに読み取らせて得られた画像データを、原稿画像データ５０として原稿画像データ記憶部１０２に一時的に記憶される。なお、これらのモードは、いずれも、原稿の画像を他の用紙にコピーするのに好適なモードである。これらのモードの詳細は、後述する。
【００３７】
一方、フォーム登録モードが選択されている場合は、スキャン制御部１０１は、定型用紙全体の画像（以下、「フォーム全体画像ＰＹ」と記載する。）をスキャナ１０ｇに読み取らせて得られた画像データを、フォーム画像データ６０としてフォーム画像データ記憶部１０３に記憶（蓄積）される。フォーム登録モードは、定型画像ＦＧを画像形成装置１に登録する際にユーザによって指定される。特に、初めて定型用紙を使用する場合のほか、給紙トレイにセットする定型用紙の形態が変わった場合（例えば、定型画像ＦＧのデザインが変更された場合および定型用紙上の定型画像ＦＧの位置が変更された場合など）に、指定される。
【００３８】
なお、一般用紙および定型用紙のサイズは同じなので、スキャナ１０ｇによって得られる原稿全体画像ＰＸおよびフォーム全体画像ＰＹのサイズも同じである。つまり、両画像の縦方向の画素数は同じであり、横方向の画素数も同じである。
【００３９】
画像調整処理部１０４は、幅領域除去部１０４ａ、マッチング除去部１０４ｂ、矩形除去部１０４ｃ、およびかぶり可視化部１０４ｄによって構成され、幅領域除去モード、マッチング除去モード、矩形除去モード、およびかぶり可視化モードのうちのいずれかが選択されている場合に、コピーする画像の調整の処理を行う。
【００４０】
幅領域除去部１０４ａは、図５に示すように、原稿画像データ記憶部１０２に記憶されている原稿画像データ５０によって再現される画像（つまり、原稿全体画像ＰＸ）から、ユーザが指定した幅の領域の画像を除去する（この領域の画素の画素値（Ｒｅｄ、Ｇｅｅｎ、およびＢｌｕｅの各色の値）をすべて所定の値にするなどして透明色にする）ことによって、幅領域除去画像データ５１を生成する。以下、ユーザが指定した幅の領域の画像を除去した原稿全体画像ＰＸを「幅領域除去画像ＰＸａ」と記載する。
【００４１】
なお、「透明色にする」とは、透過ＧＩＦ形式の画像における背景のように透明にすることを、意味する。つまり、当該背景（透明色の画素の領域）が別の画像に重なっても、当該別の画像が当該背景に隠れることなく透過して表れるようにすることを、意味する。
【００４２】
マッチング除去部１０４ｂは、図６に示すように、原稿全体画像ＰＸから、フォーム画像データ記憶部１０３に記憶されているフォーム画像データ６０によって再現される画像（つまり、フォーム全体画像ＰＹ）に含まれる定型画像ＦＧを除去（消去）することによって、フォーム除去画像データ５２を生成する。具体的には、原稿全体画像ＰＸおよびフォーム全体画像ＰＹそれぞれの、同じ座標に位置する画素同士をマッチングする。そして、両方の画素値が一致する場合は、原稿全体画像ＰＸのその画素の色を透明色にする。一致しない場合は、原稿全体画像ＰＸのその画素の画素値は、そのままにしておく。以下、定型画像ＦＧが除去された原稿全体画像ＰＸを「フォーム除去画像ＰＸｂ」と記載する。
【００４３】
矩形除去部１０４ｃは、図７に示すように、原稿全体画像ＰＸから、ユーザが指定した矩形の領域の画像を除去する（この領域を透明色にする）ことによって、矩形領域除去画像データ５３を生成する。以下、ユーザが指定した矩形の領域の画像が除去された原稿全体画像ＰＸを「矩形領域除去画像ＰＸｃ」と記載する。
【００４４】
かぶり可視化部１０４ｄは、図８に示すように、原稿全体画像ＰＸにフォーム全体画像ＰＹを重ね合わせた画像である重畳画像ＰＸｄの重畳画像データ５４を生成する。この際に、原稿全体画像ＰＸの中の何らかのオブジェクト（文字または記号など）の画像に定型画像ＦＧが重なる場合は、ユーザにとって両者を認識しやすくするために、次のような処理を行う。
【００４５】
すなわち、原稿全体画像ＰＸおよびフォーム全体画像ＰＹそれぞれの、同じ座標に位置する画素同士を重ね合わせる。そして、両方の画素の色がともに無色である場合は、重畳画像ＰＸｄのその位置の画素の色を透明色にする。
【００４６】
一方の画素の色が無色であり他方の画素の色が無色でない場合は、重畳画像ＰＸｄにおけるそれに対応する画素の色を当該他方の画素の色とする。
【００４７】
両方の画素の色が同じ色でありまたは近似する色である（つまり、両方が同系色である）場合は、重畳画像ＰＸｄのその位置の画素の色を透明色にする。または、重畳画像ＰＸｄのその位置の画素の色を、原稿全体画像ＰＸのその位置の画素の色のコントラスト色にしてもよい。
【００４８】
なお、両色が近似するか否かは、例えば、両色のＲ、Ｇ、Ｂの成分の差が所定の範囲内であるか否かに基づいて、判別すればよい。
【００４９】
両方の画素が無色でなくかつ両画素の色が非近似である場合は、重畳画像ＰＸｄにおけるそれに対応する画素の色を、いずれか一方の色にする。どちらにするかは、予め定めておいてもよいし、ユーザに選択させてもよい。
【００５０】
コピー指令画面表示部１０５は、図９のようなコピー指令画面ＨＧ１を操作パネル１０ｆの液晶ディスプレイに表示させる。コピー指令画面ＨＧ１の詳細については、後述する。
【００５１】
印刷制御部１０６は、画像調整処理部１０４の各部によって得られた幅領域除去画像ＰＸａ、フォーム除去画像ＰＸｂ、矩形領域除去画像ＰＸｃ、および重畳画像ＰＸｄが用紙に印刷されるように、印刷装置１０ｈを制御する。
【００５２】
図１０および図１１は画像形成装置１の全体的な処理の流れの例を説明するフローチャートである。
【００５３】
次に、スキャン制御部１０１ないし印刷制御部１０６の処理の流れおよび各モードの使用方法を、図１０のフローチャートを参照しながら説明する。
【００５４】
ユーザが画像形成装置１に対して所定のコマンドを入力すると、コピー指令画面表示部１０５は、図９のコピー指令画面ＨＧ１を操作パネル１０ｆの液晶ディスプレイに表示させる（図１０の＃１０）。
【００５５】
コピー指令画面ＨＧ１には、フォーム登録モードを選択するための登録モード選択ボタンＢＴ１０、コピーのモードを選択するためのコピーモード選択ボタンＢＴ１１〜ＢＴ１４、コピーまたはスキャンの開始を指令するためのスタートボタンＢＴ１６、スキャナ１０ｇによって読み取られた画像を表示するための画像表示領域ＲＹ１１、およびコピーの枚数などの条件を指定するための条件指定領域ＲＹ１２などによって構成されている。
【００５６】
ユーザは、定型用紙の定型画像ＦＧを未だ登録していない場合および給紙トレイにセットしている定型用紙の定型画像ＦＧのデザインなどが変わった場合は、定型画像ＦＧの登録のために、その定型用紙を原稿台にセットするとともに、登録モード選択ボタンＢＴ１０を押しておく。そして、スタートボタンＢＴ１６を押す。
【００５７】
すると（図１０の＃１１でＹｅｓ）、スキャン制御部１０１は、その定型用紙の全体をスキャナ１０ｇにスキャンさせることによって画像データを取得し（＃１２）、この画像データをフォーム画像データ６０としてフォーム画像データ記憶部１０３に記憶させる（＃１３）。なお、使用しなくなった古い定型用紙のフォーム画像データ６０は削除しておく。
【００５８】
定型画像ＦＧが既に適正に登録されている場合は、ユーザは、原稿の用紙の種類、その原稿の複写先の用紙の種類、および目的などに応じて、次のようにコピーの処理を画像形成装置１に行わせることができる。
【００５９】
ユーザは、原稿の用紙の種類およびコピー先の用紙の種類に関わらず、原稿の画像全体のうち一部の幅の領域（例えば、ヘッダまたはフッタ）の画像を除去してコピーを行いたい場合は、原稿の用紙を原稿台にセットするとともに、コピーモード選択ボタンＢＴ１１を押して幅領域除去モードを選択する。
【００６０】
すると（＃２１でＹｅｓ）、スキャン制御部１０１は、その原稿の用紙の全体をスキャナ１０ｇにスキャンさせることによって画像データを取得し（＃２２）、この画像データを原稿画像データ５０として原稿画像データ記憶部１０２に記憶させる（＃２３）。
【００６１】
コピー指令画面表示部１０５は、その原稿画像データ５０に基づいて画像表示領域ＲＹ１１にその原稿の全体の画像（つまり、原稿全体画像ＰＸ）を表示させる。また、条件指定領域ＲＹ１２に、コピー先の用紙の種類（定型用紙および一般用紙）の選択肢を表示させる（＃２４）。
【００６２】
ここで、ユーザは、画像表示領域ＲＹ１１の、除去したい幅に対応する部分を、タッチペンまたは指でなぞって選択する。または、テンキーで選択する。さらに、所望のコピー先の用紙の種類を選択する。そして、スタートボタンＢＴ１６を押す。
【００６３】
すると、幅領域除去部１０４ａは、前に図５で説明した方法で、原稿全体画像ＰＸから、ユーザが指定した幅の領域の画像を除去し、幅領域除去画像データ５１を生成する（＃２５）。
【００６４】
そして、印刷制御部１０６は、その幅領域除去画像データ５１に基づいて、ユーザが指定した幅の領域を除去した原稿全体画像ＰＸつまり幅領域除去画像ＰＸａを、ユーザが条件指定領域ＲＹ１２で指定した種類の用紙に印刷する（＃２６）。
【００６５】
または、ユーザは、定型用紙に記されている原稿の画像を別の定型用紙にコピーしたい場合は、その原稿の定型用紙を原稿台にセットするとともに、コピーモード選択ボタンＢＴ１２を押してマッチング除去モードを選択する。
【００６６】
すると（＃３１でＹｅｓ）、スキャン制御部１０１は、その原稿の定型用紙の全体をスキャナ１０ｇにスキャンさせることによって原稿全体画像ＰＸの画像データを取得し（＃３２）、この画像データを原稿画像データ５０として原稿画像データ記憶部１０２に記憶させる（＃３３）。
【００６７】
マッチング除去部１０４ｂは、その原稿画像データ５０およびフォーム画像データ記憶部１０３に記憶されているフォーム画像データ６０に基づいて、図６で説明した方法で、原稿全体画像ＰＸから定型画像ＦＧを除去し、フォーム除去画像データ５２を生成する（＃３４）。コピー指令画面表示部１０５は、そのフォーム除去画像データ５２に基づいて、定型画像ＦＧが除去された原稿全体画像ＰＸつまりフォーム除去画像ＰＸｂを画像表示領域ＲＹ１１に表示させる（＃３５）。
【００６８】
ここで、ユーザは、表示された画像を確認し、スタートボタンＢＴ１６を押す。すると、印刷制御部１０６は、そのフォーム除去画像データ５２に基づいて、フォーム除去画像ＰＸｂを、給紙トレイにセットされている定型用紙に印刷する（＃３６）。
【００６９】
または、ユーザは、原稿の用紙の種類およびコピー先の用紙の種類に関わらず、原稿の画像全体のうち一部の矩形の領域の画像を除去してコピーを行いたい場合は、原稿の用紙を原稿台にセットするとともに、コピーモード選択ボタンＢＴ１３を押して矩形除去モードを選択する。
【００７０】
すると（＃４１でＹｅｓ）、スキャン制御部１０１は、その原稿の用紙の全体をスキャナ１０ｇにスキャンさせることによって画像データを取得し（＃４２）、この画像データを原稿画像データ５０として原稿画像データ記憶部１０２に記憶させる（＃４３）。
【００７１】
コピー指令画面表示部１０５は、その原稿画像データ５０に基づいて画像表示領域ＲＹ１１に原稿全体画像ＰＸを表示させる。また、条件指定領域ＲＹ１２に、コピー先の用紙の種類の選択肢を表示させる（＃４４）。
【００７２】
ここで、ユーザは、画像表示領域ＲＹ１１の、除去したい矩形に対応する部分を、タッチペンまたは指でなぞって選択する。または、テンキーで選択する。さらに、所望のコピー先の用紙の種類を選択する。そして、スタートボタンＢＴ１６を押す。
【００７３】
すると、矩形除去部１０４ｃは、前に図７で説明した方法で、原稿全体画像ＰＸから、ユーザが指定した矩形の領域の画像を除去し、矩形領域除去画像データ５３を生成する（＃４５）。
【００７４】
そして、印刷制御部１０６は、その矩形領域除去画像データ５３に基づいて、ユーザが指定した幅の領域を除去した原稿全体画像ＰＸつまり矩形領域除去画像ＰＸｃを、ユーザが条件指定領域ＲＹ１２で指定した種類の用紙に印刷する（＃４６）。
【００７５】
または、ユーザは、一般用紙に記されている原稿の画像を、定型画像ＦＧを付して他の一般用紙にコピーしたい場合は、その原稿の一般用紙を原稿台にセットするとともに、コピーモード選択ボタンＢＴ１４を押してかぶり可視化モードを選択する。
【００７６】
すると（＃５１でＹｅｓ）、スキャン制御部１０１は、その原稿の一般用紙の全体をスキャナ１０ｇにスキャンさせることによって原稿全体画像ＰＸの画像データを取得し（＃５２）、この画像データを原稿画像データ５０として原稿画像データ記憶部１０２に記憶させる（＃５３）。
【００７７】
かぶり可視化部１０４ｄは、その原稿画像データ５０およびフォーム画像データ記憶部１０３に記憶されているフォーム画像データ６０に基づいて、図８で説明した方法で、原稿全体画像ＰＸに定型画像ＦＧを重ね、重畳画像データ５４を生成する（＃５４）。つまり、原稿全体画像ＰＸの中の、定型画像ＦＧと重なる部分の画素については、適宜、画素値を変更することによって、その部分および定型画像ＦＧの両方が何であるかをユーザが分かるように、処理する。
【００７８】
コピー指令画面表示部１０５は、その重畳画像データ５４に基づいて、定型画像ＦＧが除去された原稿全体画像ＰＸを画像表示領域ＲＹ１１に表示させる（＃５５）。
【００７９】
ここで、ユーザは、表示された画像を確認し、スタートボタンＢＴ１６を押す。すると、印刷制御部１０６は、その重畳画像データ５４に基づいて、重畳画像ＰＸｄを、給紙トレイにセットされている一般用紙に印刷する（＃５６）。
【００８０】
コピーの終了後、原稿画像データ５０が原稿画像データ記憶部１０２から削除される（＃６１）。
【００８１】
本実施形態によると、様々な形態の原稿をユーザのニーズに応じて的確にコピーすることができる。
【００８２】
特に、マッチング除去モードによると、定型用紙に印刷されている原稿の画像を従来よりも綺麗に別の定型用紙にコピーすることができる。
【００８３】
また、かぶり可視化モードによると、原稿の画像のどの場所に定型画像ＦＧを配置してコピーしても、ユーザはその印刷物を見て両方の画像を容易に認識することができる。
【００８４】
また、幅領域除去モードおよび矩形除去モードによると、原稿の画像から不要な部分を自由に除去してコピーすることができる。
【００８５】
本実施形態では、幅領域除去画像データ５１、フォーム除去画像データ５２、矩形領域除去画像データ５３、および重畳画像データ５４に基づいて印刷を行ったが、これらのデータをＰＤＦなどのデータに変換し、端末装置２などに送信してもよい。
【００８６】
その他、画像処理システム３、画像形成装置１の全体または各部の構成、処理内容、処理順序などは、本発明の趣旨に沿って適宜変更することができる。
【図面の簡単な説明】
【００８７】
【図１】画像処理システムの全体的な構成の例を示す図である。
【図２】画像形成装置のハードウェア構成の例を示す図である。
【図３】定型用紙の例を示す図である。
【図４】画像形成装置の機能的構成の例を示す図である。
【図５】幅領域除去画像の生成の処理の例を説明するための図である。
【図６】フォーム除去画像の生成の処理の例を説明するための図である。
【図７】矩形領域除去画像の生成の処理の例を説明するための図である。
【図８】重畳画像の生成の処理の例を説明するための図である。
【図９】コピー指令画面の例を示す図である。
【図１０】画像形成装置の全体的な処理の流れの例を説明するフローチャートである。
【図１１】画像形成装置の全体的な処理の流れの例を説明するフローチャートである。
【符号の説明】
【００８８】
１  画像形成装置
１０１  スキャン制御部（指定画像取得手段）
１０３  フォーム画像データ記憶部（定型画像記憶手段）
１０４ａ  幅領域除去部（指定領域画像除去手段）
１０４ｂ  マッチング除去部（定型画像除去手段）
１０４ｃ  矩形除去部（指定領域画像除去手段）
１０４ｄ  かぶり可視化部（重畳画像生成手段）
１０６  印刷制御部（印刷手段）
１０ｇ  スキャナ（指定画像取得手段）
１０ｈ  印刷装置（印刷手段）
ＦＧ  定型画像（定型の画像）
ＰＸ  原稿全体画像（指定画像）
【図１】
2009273060.tif 000003
【図２】
2009273060.tif 000004
【図３】
2009273060.tif 000005
【図４】
2009273060.tif 000006
【図５】
2009273060.tif 000007
【図６】
2009273060.tif 000008
【図７】
2009273060.tif 000009
【図８】
2009273060.tif 000010
【図９】
2009273060.tif 000011
【図１０】
2009273060.tif 000012
【図１１】
2009273060.tif 000013